(57)【要約】【課題】高温用及び低音用の各スピーカからの音波の相互干渉による悪影響を防止すると同時に、高音用スピーカの能力を十分に発揮できるようにする。【解決手段】  入力音声信号を所定のクロスオーバ周波数により高域側及び低域側の成分に帯域分割する高域側及び低域側のフィルタ１１、１２と、帯域分割された高域側及び低域側の成分に基づいてそれぞれ駆動され、高域側及び低域側の音波をそれぞれ出力する高域側及び低域側のスピーカ１７、１８とを備えたオーディオシステムにおいて、高域側及び低域側のフィルタとして、高域側及び低域側の音波間の干渉を聴取者が認識できない程度に両者間の各遷移域の減衰特性が急峻なものを用いる。【選択図】図１
2005109969.tif 000002
【特許請求の範囲】
【請求項１】
入力音声信号を高域側及び低域側の成分に帯域分割する高域側及び低域側のフィルタと、
前記帯域分割された高域側及び低域側の成分に基づいてそれぞれ駆動され、高域側及び低域側の音波をそれぞれ出力する高域側及び低域側のスピーカとを備え、
前記高域側及び低域側のフィルタは、前記高域側及び低域側の音波間の干渉による音の劣化を聴取者が認識できない程度に遷移域の減衰特性が急峻であることを特徴とするオーディオシステム。
【請求項２】
前記高域側及び低域側のフィルタは、遷移域の幅が１／３［ｏｃｔ］以下であることを特徴とする請求項１に記載のオーディオシステム。
【請求項３】
前記高域側及び低域側フィルタは、遷移域における減衰量が８０［ｄＢ］以上であることを特徴とする請求項２に記載のオーディオシステム。
【請求項４】
前記分割された高域側及び低域側の音声信号に基づき、前記高域側及び低域側のスピーカを別個に駆動する高域側及び低域側のパワーアンプを有することを特徴とする請求項１〜３のいずれか１項に記載のオーディオシステム。
【請求項５】
前記高域側及び低域側のスピーカからの音波が聴取位置に同時に到達するように、前記分割された高域側又は低域側の音声信号を遅延させる遅延手段を有することを特徴とする請求項１〜４のいずれか１項に記載のオーディオシステム。
【請求項６】
前記フィルタはディジタルフィルタであることを特徴とする請求項１〜５のいずれか１項に記載のオーディオシステム。
【請求項７】
前記フィルタは直線位相フィルタであることを特徴とする請求項１〜６のいずれか１項に記載のオーディオシステム。
【請求項８】
前記高域側又は低域側フィルタの遮断周波数を変更する手段を有することを特徴とする請求項１〜７のいずれか１項に記載のオーディオシステム。
【発明の詳細な説明】
【技術分野】
【０００１】
本発明は、オーディオシステムに関する。
【背景技術】
【０００２】
一般に、オーディオシステムにおいて、高音用スピーカは高音の直進性と非回折性により耳の高さに設置することが望ましく、低音用スピーカは低音の回折性により設置位置はあまり限定されないとされている。たとえば、車載用のオーディオシステムの場合、車室内においては、設置位置に制約があるため、スピーカはドア上の、乗員の足元の高さ位置に設置されるが、この設置位置では、上述の高音の振る舞いから高音は聴取者に届きにくい。そこで高音用スピーカを設け、これを車室内の高い位置に設置するようにしている。
【０００３】
図６はこのような車載用のオーディオシステムにおけるスピーカの配置を例示する。このシステムは高音用スピーカ６１及び低音用スピーカ６２を有する。低音用スピーカ６２は足元の位置に設置するとともに、高音用スピーカ６１をフロント・ドアの上部などの高い位置に設置するようにしている。
【０００４】
図７はこの車載用のオーディオシステムの一部を示す。このシステムは、再生信号を増幅するパワーアンプ７１、増幅された音声信号を高域側及び低域側の成分に帯域分割するハイパスフィルタ７２及びローパスフィルタ７３、分割された高域側及び低域側の成分に基づいてそれぞれ駆動され、高域側及び低域側の音波をそれぞれ出力する高音用スピーカ７５及び低音用スピーカ７６を備える。ハイパスフィルタ７２及びローパスフィルタ７３は帯域分割フィルタを構成している。ＣＤレシーバ等からの再生信号は、パワーアンプ７１で増幅され、さらに帯域分割フィルタによって低域側及び高域側に分割され、そして高音用スピーカ７５及び低音用スピーカ７６によって音波信号に変換され、聴取者の耳に到達する。
【０００５】
このように各帯域に分割した再生信号によって各帯域専用のスピーカ７５及び７６を駆動するシステムにおいては、各スピーカ７５及び７６による合成音の特性を滑らかにするため、帯域分割フィルタとして、インダクタ及びキャパシタを用いて構成される、１次又は２次のアナログフィルタを用いている。かかる帯域分割フィルタは、遷移域における減衰特性が比較的緩やかものとなっている。
【０００６】
図８はハイパスフィルタ７２及びローパスフィルタ７３による帯域分割フィルタの振幅周波数特性を例示する。図中の曲線８Ｈ及び８Ｌはそれぞれハイパスフィルタ７２及びローパスフィルタ７３の特性曲線である。各フィルタ７２及び７３の遮断特性は６［ｄＢ／ｏｃｔ］となっている。両フィルタのクロスオーバ周波数ｆｃを中心として、両フィルタを通過する信号の周波数帯域は重複している。したがって、両スピーカ７５及び７６から出力される音波も、その周波数帯域にわたって同一周波数のものが重複することになる。減衰特性が緩やかであるため、重複する周波数帯域は広範囲にわたっている。このようなシステムの例としては、たとえば特許文献１に記載のものを挙げることができる。
【特許文献１】特開平４−３１８８００号公報
【発明の開示】
【発明が解決しようとする課題】
【０００７】
しかしながら、このように高音用及び低音用の両スピーカからの音波における重複した周波数帯域が広い帯域に渡って存在すると、その周波数帯域において、両スピーカからの音波中に、フィルタの位相回転によって相互に逆位相になる周波数ポイントが存在し、そのポイントでは両スピーカからの音波が相互に打ち消し合って消失してしまうという問題がある。かかる位相回転の影響を抑えるために、両スピーカの設置面をずらして時間差を生じさせる方法もあるが、これによれば、逆位相になるポイントをずらすだけであり、根本的な解決にはならない。
【０００８】
また、遮断特性が緩やかであると、高域側のフィルタはかなり周波数の低い低域側の成分も通過させ、これを高音用スピーカに対して供給することになる。そうすると、低音用スピーカに比べて耐入力電力が低い高音用スピーカが、振幅の大きい低域成分によって破壊されることがないように、低電力で高音用スピーカを動作させる必要が生じる。また、高温用スピーカの共振周波数よりもかなり低い信号が入力されることにもなる。これらを回避するために、フィルタの遮断周波数を高くする方法もあるが、適切な再生音を得るためには遮断周波数を無理に高くすることはできない。したがって、これらの制約により、高音用スピーカの性能を十分に発揮することができてきない。
【０００９】
また、このようなオーディオシステムにおいて、スピーカから聴取者までの距離が、高音用スピーカと低音用スピーカとで異なっていると、両スピーカから同時に出力される音波が異なる時刻に聴取者の耳に到達するので、聴取者に対し不自然な感じを与える。特に車載用のオーディオシステムにおいては、上述のように低音用スピーカを足元に設置し、高音用スピーカをサイドミラー近傍に設置することなどによって、各スピーカから聴取者までの距離が異なる場合が多いので、問題となる。また、上述の重複した周波数帯域においては、同一周波数の音波が時間差をもって聴取者に到達するので、時間差に応じて丁度逆位相になってしまう周波数では、両スピーカからの音波同士が打ち消し合う。つまり、周波数に応じたピーク・ディップが発生するという問題がある。
【００１０】
本発明の目的は、かかる従来技術の問題点に鑑み、高域側及び低域側に帯域分割した音声信号によって高温用及び低音用のスピーカを駆動するオーディオシステムにおいて、各スピーカからの音波の相互干渉による悪影響を防止すると同時に、高音用スピーカの能力を十分に発揮できるようにすることにある。
【課題を解決するための手段】
【００１１】
上記目的を達成するため、第１の発明に係るオーディオシステムは、入力音声信号を高域側及び低域側の成分に帯域分割する高域側及び低域側のフィルタと、帯域分割された高域側及び低域側の成分に基づいてそれぞれ駆動され、高域側及び低域側の音波をそれぞれ出力する高域側及び低域側のスピーカとを備えており、高域側及び低域側のフィルタは、高域側及び低域側の音波間の干渉による音の劣化を聴取者が認識できない程度に遷移域の減衰特性が急峻であることを特徴とする。
【００１２】
ここで、オーディオシステムとは、たとえば、車載用のオーディオシステムであって、高音用スピーカをフロント・ドア上部やダッシュボード上に設け、低音用スピーカをフロント・ドア下部の足元に設けたようなオーディオシステムが該当する。「高域側」及び「低域側」とは相対的な意味で用いられている。たとえば３ウェイスピーカの場合、中音域用のスピーカを高域側スピーカとし、低音用スピーカを低域側スピーカとして本発明を適用することもできる。
【００１３】
この構成において、入力音声信号は、図２に例示されるような振幅周波数特性を有する高域側及び低域側のフィルタにより帯域分割される。図中の２Ｈ及び２Ｌはそれぞれ高域側フィルタ及び低域側フィルタの特性曲線である。特性曲線２Ｈと２Ｌはクロスオーバ周波数ｆｃにおいて交差しており、両フィルタにおける実質的な信号通過範囲は、クロスオーバ周波数ｆｃを中心として振幅が減衰するまでの周波数範囲Ｆｗにおいて重複している。したがって、帯域分割された高域側及び低域側の成分によって駆動される高域側及び低域側スピーカは、音域が周波数範囲Ｆｗにおいて重複している音波を出力する。この重複している周波数範囲Ｆｗでは、高域側及び低域側スピーカからの音波は同一周波数成分間で干渉を生じ、同位相であれば強め合い、逆位相であれば弱め合うので、高域側及び低域側各スピーカから聴取者までの距離の差やフィルタの位相回転によって生じる位相差により、ピーク・ディップとしての音の劣化が生じることが知られている。
【００１４】
従来は、高域側及び低域側フィルタの特性が、図８の曲線８Ｈ及び８Ｌで例示されるような比較的緩やかな減衰特性を有しているため、ピーク・ディップの発生し得る範囲は非常に広い周波数範囲にわたっていた。したがって、ピーク・ディップが発生すると、聴取者が認識する音響に悪影響を与えていた。また、減衰特性が緩やかであると、高域側スピーカにはかなり低域側の信号が入力されることになるので、高域側スピーカの破壊を防止するためには、クロスオーバ周波数ｆｃを下げることや十分な電力で駆動することはできない。一方、適切な再生音を得るためには、高域側スピーカの遮断周波数を無理に高くすることはできず、そうすると高域側スピーカには共振周波数より低い周波数の信号が入力される。つまり、相反する要求が錯綜し、高域側スピーカの性能を十分に発揮することができなかった。
【００１５】
これに対し、本発明によれば、高域側及び低域側のフィルタとして、図２において例示されるように、高域側及び低域側の音波間の干渉によるピーク・ディップ等の音の劣化を聴取者が認識できない程度に遷移域の減衰特性が急峻なものを採用している。これは、すなわち、高域側及び低域側のフィルタの減衰特性が、ある程度急峻になると、それに応じて、高域側及び低域側の帯域が重複している周波数範囲Ｆｗがかなり狭くなるため、その範囲でピーク・ディップが生じたとしても、聴取者はそれを認識することができなくなるのであり、本発明では高域側及び低域側フィルタがそのような急峻な減衰特性を有していることを意味している。また、この場合、高域側スピーカに低域側の信号がほとんど入力されることがないため、適切な再生音を得るためにクロスオーバ周波数ｆｃを図８の従来例に比べ低く設定しても、十分な電力で駆動することができ、かつ共振周波数より低い周波数の信号が入力されることもない。したがって高域側スピーカの性能を十分発揮することができる。
【００１６】
第２の発明に係るオーディオシステムは、第１の発明において、高域側及び低域側のフィルタは、遷移域の幅が１／３［ｏｃｔ］以下であることを特徴とする。
【００１７】
第３の発明に係るオーディオシステムは、第２の発明において、高域側及び低域側フィルタは、遷移域における減衰量が８０［ｄＢ］以上であることを特徴とする。
【００１８】
第４の発明に係るオーディオシステムは、第１〜第３のいずれかの発明において、分割された高域側及び低域側の音声信号に基づき、高域側及び低域側のスピーカを別個に駆動する高域側及び低域側のパワーアンプを有することを特徴とする。
【００１９】
第５の発明に係るオーディオシステムは、第１〜第４のいずれかの発明において、高域側及び低域側のスピーカからの音波が聴取位置に同時に到達するように、分割された高域側又は低域側の音声信号を遅延させる遅延手段を有することを特徴とする。
【００２０】
第６の発明に係るオーディオシステムは、第１〜第５のいずれかの発明にいて、フィルタはディジタルフィルタであることを特徴とする。
【００２１】
第７の発明に係るオーディオシステムは、第１〜第６のいずれかの発明において、フィルタは直線位相フィルタであることを特徴とする。
【００２２】
第８の発明に係るオーディオシステムは、第１〜第７のいずれかに記載の発明において高域側又は低域側フィルタの遮断周波数を変更する手段を有することを特徴とする。
【発明の効果】
【００２３】
本発明によれば、高域側及び低域側のフィルタとして、高域側及び低域側の音波間の干渉による音の歪を聴取者が認識できない程度に両者間の各遷移域の減衰特性が急峻なものを用いるようにしたため、高域側及び低域側スピーカからの音波の相互干渉による悪影響を防止すると同時に、高域側スピーカの能力を十分に発揮させることができる。
【発明を実施するための最良の形態】
【００２４】
図１は本発明の一実施形態に係るオーディオシステムを示すブロック図である。同図に示すように、このスピーカシステムは、ＣＤレシーバ等からの再生信号を高域側及び低域側に分割するハイパスフィルタ１１及びローパスフィルタ１２、分割された高域側及び低域側の音声信号に対しそれぞれ所定の時間遅延処理を施す時間遅延器１３及び１４、時間遅延器１３及び１４の出力に基づき高音用スピーカ及び低音用スピーカを別個に駆動するパワーアンプ１５及び１６、並びにパワーアンプ１５及び１６の出力信号を音波信号に変換する高音用スピーカ１７及び低音用スピーカ１８を備える。ハイパスフィルタ１１及びローパスフィルタ１２は音声信号を所定のクロスオーバ周波数により高域側及び低域側に分割するクロスオーバ・ネットワーク（チャンネル・デバイダ）を構成している。
【００２５】
図２はハイパスフィルタ１１及びローパスフィルタ１２の周波数振幅特性を示す。各フィルタ１１及び１２は、それぞれ曲線２Ｈ及び２Ｌで示されるような急峻なスロープ特性を有するディジタル・フィルタである。各フィルタ１１及び１２の遷移域の幅は１／３［ｏｃｔ］以下となっている。遷移域の幅を１／３［ｏｃｔ］以下としたのは、通常の音場解析が１／３［ｏｃｔ］幅を単位として行われているように、この程度よりも狭い帯域幅で高域側と低域側が重複して干渉によるピーク・ディップを生じたとしても、聴覚機能や音響心理等から考えて、人間には判別が困難であろうと考えられるからである。この場合、減衰量は再生音場によって異なるが、遷移域における減衰量としては、パワーアンプ１５及び１６の性能を考慮した場合、８０［ｄＢ］あれば十分であり、聴覚上は６０［ｄＢ］あれば十分であると考えられる。
【００２６】
図３はハイパスフィルタ１１やローパスフィルタ１２のインパルス応答を示す。各フィルタ１１及び１２としては、図２のような急峻な特性のものとするために、図３のようなインパルス応答を示すＦＩＲ（有限インパルス応答）フィルタが用いられる。また、各フィルタ１１及び１２は直線位相フィルタとして構成される。
【００２７】
時間遅延器１３及び１４は、高音用スピーカ１７及び低音用スピーカ１８からの音が、聴取位置において同時刻に到達するように設定される。高音用スピーカ１７から聴取位置までの距離をａ[ｍ]、低音用スピーカ１８から聴取位置までの距離をｂ[ｍ]、音速をｖ[ｍ／秒]とすると、各スピーカ１７及び１８から聴取位置に音波が到達するのに要する時間の差ｔ[秒]は、ｔ＝（ａ−ｂ）／ｖとなる。したがってたとえば、時間差ｔが正値の場合、高音用スピーカ１７からの音波の方が低音用スピーカ１８からの音波よりも遅れて到着することになるので、低音用スピーカ側の時間遅延器１４における時間遅延量を−ｔ[秒]に設定する。
【００２８】
この構成において、再生信号はハイパスフィルタ１１及びローパスフィルタ１２によって、図２に示される周波数特性に従い、所定のクロスオーバ周波数ｆｃにより高域側及び低域側の各成分に分割される。このとき、各成分の遷移域が他の成分と重複するため、クロスオーバ周波数ｆｃを中心とする一定幅の重複した周波数範囲Ｆｗが生じる。しかし各フィルタの遷移域の幅が狭いため、周波数範囲Ｆｗはきわめて狭い。また、ハイパスフィルタ１１の遮断特性が急峻であるため、周波数の低い低域側成分が重複して高域側成分に含まれることはない。
【００２９】
分割された各成分はそれぞれ、時間遅延器１３及び１４により上述の設定に従った時間遅延が施され、パワーアンプ１５及び１６を経て、スピーカ１７及び１８に供給される。このとき、パワーアンプを経てから高域側及び低域側に分割して各スピーカを駆動する場合に比べ、各スピーカ１７及び１８間の干渉を抑えることができる。すなわち、分割後に別個のパワーアンプ１５及び１６によってスピーカ１７及び１８を独立に駆動しているので、スピーカの交流インピーダンス特性によって分割精度が変化したり、一方のスピーカコイルの逆起電力によって他方のスピーカの駆動に影響を及ぼしたりするのを防止することができる。
【００３０】
パワーアンプ１５から高音用スピーカ１７に供給される高域側の成分には、ハイパスフィルタ１１の急峻な遮断特性によって、不要な低域側成分が確実に排除されているため、パワーアンプ１５の増幅率を高くしても、低域成分の大きなエネルギーによって高音用スピーカ１７を破壊する恐れはない。したがって、比較的高い増幅度で増幅された高域側成分により高音用スピーカ１７が駆動され、その性能が十分に発揮される。また、このことはクロスオーバ周波数をより低めに設定することを可能にするので、低めの遮断周波数による高域側成分により、全体として適切な再生音を供給することができる。また、その場合でも、高音用スピーカ１７の共振周波数より低い低域成分が入力されないため、高音用スピーカ１７の性能をより効果的に発揮することができる。
【００３１】
高音用及び低音用スピーカ１７及び１８から出力される音波は、聴取者に到達する時刻が同一となるように、対応する高域側及び低域側成分の音声信号に対して上述の遅延処理が行われているので、聴取者に対して同時に到達する。したがって、高域側及び低域側の音波が異なる時刻にずれて耳に到達することによる違和感を聴取者に与えることはない。また、このとき、高域側及び低域側の音波間で重複する周波数範囲Ｆｗの幅が狭いため、ピーク・ディップが発生したとしても、聴取者はそれを認識することはできない。なお、ハイパスフィルタ１１及びローパスフィルタ１２は直線位相フィルタであって、全周波数帯域で時間遅延は同一（一定）であるため、フィルタの相互干渉によるピーク・ディップは生じない。つまり、従来のアナログフィルタにおけるような位相特性による位相歪がなく、適切な再生を行うことができる。
【００３２】
図４は本発明の他の実施形態に係るオーディオシステムを示す。このシステムでは、ハイパスフィルタ１１及びローパスフィルタ１２、並びに時間遅延器１３及び１４をＤＳＰ（ディジタル信号プロセッサ）４１により構成している。図中の４２及び４３はそれぞれ時間遅延器１３及び１４の出力をアナログ信号に変換するＤＡコンバータ、４４及び４５はそれぞれＤＡコンバータ４２及び４３の出力側に設けられたボリュームである。ボリューム４４及び４５の出力側は、それぞれパワーアンプ１５及び１６に接続されている。４６はＤＳＰ４１やボリューム４４及び４５を制御するマイクロコンピュータである。ユーザがマイクロコンピュータ４６に指令を与えることにより、ハイパスフィルタ１１及びローパスフィルタ１２の遮断周波数を変更することができるようになっている。
【００３３】
ＤＳＰ４１はＰＣＭ（パルス・コード・モジュレーション）による音声信号に対し、マイクロコンピュータ４６により設定されたフィルタ係数に基づいてフィルタ演算を施す。さらにマイクロコンピュータ４６により設定された遅延時間に基づいて遅延処理を施し、ＤＡコンバータ４２及び４３に出力する。ＤＡコンバータ４２及び４３の出力は、それぞれボリューム４４及び４５、パワーアンプ１５及び１６を経て、高音用及び低音用スピーカ１７及び１８により音波に変換される。他の点については、図１の場合と同様である。
【００３４】
図５は別の実施形態に係るオーディオシステムにおけるＤＳＰ部分を示す。同図に示すように、このＤＳＰ５１は１つの入力及び２つの出力を有するタップディレイ５２、並びにタップディレイの２つの出力側にそれぞれ接続されたハイパスフィルタ５３及びローパスフィルタ５４を構成している。マイクロコンピュータ４６を介して、タップディレイ５２の各出力をそれぞれ独立に遅延時間を調整することができるようになっている。また、ハイパスフィルタ１１及びローパスフィルタ１２の遮断周波数を変更することができるようになっている。スピーカシステムにおける他の部分の構成は、図４の場合と同様であり、ハイパスフィルタ５３及びローパスフィルタ５４の出力側はそれぞれＤＡコンバータ４２及び４３に接続され、ＤＳＰ５１はマイクロコンピュータ４６により制御される。
【００３５】
ＤＳＰ５１はＰＣＭによる音声信号に対し、マイクロコンピュータ４６（図４）により設定された各遅延時間に基づいて遅延処理を施し、遅延された各音声信号に対しマイクロコンピュータ４６により設定されたフィルタ係数に基づいてフィルタ演算を施して、ＤＡコンバータ４２及び４３に出力する。ＤＡコンバータ４２及び４３の出力はそれぞれ、ボリューム４４及び４５、パワーアンプ１５及び１６を経て、高音用及び低音用スピーカ１７及び１８により音波に変換される。他の点については、図１の場合と同様である。これによれば図４の形態に比べ、同一の効果を奏しながら、時間遅延器に要するメモリを削減することができる。
【００３６】
以上説明したように、各実施形態によれば、音声信号を分割するハイパスフィルタ及びローパスフィルタとして遮断特性が急峻なものを用いるようにしたため、高音用スピーカの性能を十分に引き出すことができると同時に、高音域側及び低音域側の音波間の干渉による悪影響を排除することができる。また、分割された高域側及び低域側の音声信号に基づき、高音用及び低音用のスピーカを別個に駆動するパワーアンプを設けたため、スピーカ間の干渉を抑えることができる。また、高音用及び低音用のスピーカからの音波が聴取位置に同時に到達するように、分割された高域側又は低域側の音声信号を遅延させる遅延器を設けたため、高音用及び低音用のスピーカから同時に出力される音波が聴取者に異なる時刻に到達するのを防止することができる。また、ハイパスフィルタ及びローパスフィルタとして、ＦＩＲ型の直線位相フィルタを用いるようにしたため、位相歪を防止し、適切な再生を行うことができる。また、ハイパスフィルタ又はローパスフィルタの遮断周波数を変更する手段を設けたため、クロス周波数を所望のものに変更することができる。
【図面の簡単な説明】
【００３７】
【図１】本発明の一実施形態に係るオーディオシステムを示すブロック図である。
【図２】図１のシステムにおけるハイパスフィルタ及びローパスフィルタの周波数振幅特性を示す図である。
【図３】図１のシステムにおけるハイパスフィルタやローパスフィルタのインパルス応答を示す図である。
【図４】本発明の他の実施形態に係るオーディオシステムを示すブロック図である。
【図５】本発明の別の実施形態に係るオーディオシステムにおけるＤＳＰ部分を示すブロック図である。
【図６】車載用のオーディオシステムにおけるスピーカの配置を例示する図である。
【図７】従来の車載用オーディオシステムの一部を示すブロック図である。
【図８】従来のオーディオシステムにおけるハイパスフィルタ及びローパスフィルタによる帯域分割フィルタの振幅周波数特性を例示する図である。
【符号の説明】
【００３８】
２Ｈ，８Ｈ：ハイパスフィルタの特性曲線、２Ｌ，８Ｌ：ローパスフィルタの特性曲線、１１：ハイパスフィルタ、１２：ローパスフィルタ、１３，１４：時間遅延器、１５，１６：パワーアンプ、１７：高音用スピーカ、１８：低音用スピーカ、４１，５１：ＤＳＰ、４２，４３：ＤＡ変換器、４４，４５：ボリューム、４６：マイクロコンピュータ、５２：タップディレイ、５３：ＦＩＲハイパスフィルタ、５４：ＦＩＲローパスフィルタ、６１：高音用スピーカ、６２：低音用スピーカ、７１：パワーアンプ、７２：ハイパスフィルタ、７３：ローパスフィルタ、７５：高音用スピーカ、７６：低音用スピーカ。
【図１】
2005109969.tif 000003
【図２】
2005109969.tif 000004
【図３】
2005109969.tif 000005
【図４】
2005109969.tif 000006
【図５】
2005109969.tif 000007
【図６】
2005109969.tif 000008
【図７】
2005109969.tif 000009
【図８】
2005109969.tif 000010